【事件の表示】
　平成　９年特許願第１２４０７７号「ファンカップリング用軸受」拒絶査定不服審判事件〔平成１０年１２月　２日出願公開、特開平１０−３１８２９１〕について、次のとおり審決する。
【結　論】
　本件審判の請求は、成り立たない。
【理　由】
１．手続の経緯の概要・本願発明
　本願は、平成９年５月１４日の出願であって、その請求項１に係る発明（以下、「本願発明」という。）は、平成１９年１月２６日（受付日）付けの手続補正により補正された明細書及び図面の記載からみて、その特許請求の範囲の請求項１に記載された事項により特定される次のとおりのものである。
　「【請求項１】０℃における粘度が４５０〜２，０００ｃＳｔであるパーフルオロポリエーテルまたはシリコーン油を基油とするグリースを封入したことを特徴とするファンカップリング用軸受。」
　
２．引用刊行物の記載事項
＜刊行物１＞
　原査定の拒絶の理由に引用された、本願出願前に頒布された刊行物である実願平２−６９５１４号（実開平４−２８２３３号）のマイクロフィルム（以下、「刊行物１」という。）には、「ファンカップリングの軸受取付部構造」に関して、下記の事項アが図面とともに記載されている。
　ア；「第１図において、１は粘性流体を封入したファンカップリングのハウジングであり、２は、このハウジング１を軸受３を介して回転自在に支持する駆動軸である。軸受３は、内輪１０と外輪１１の間に、複数の玉１５とこの各玉１５を保持する保持具１６が介装され、外輪１１の両端面には、内輪１０との間の密封を保つためのリップシール１４が固着されている。そして、リップシール１４によって密封された軸受３の内部にはグリースａが封入されている。」（明細書第６頁３行〜１２行）
　
　刊行物１に記載された上記記載事項アからみて、刊行物１には下記の発明が記載されているものと認めることができるものである。
　「グリースａを封入したファンカップリング用軸受。」
　
３．対比・判断
　刊行物１に記載された発明のファンカップリング用軸受も軸受３の内部にはグリースａが封入されているものである。
　そこで、本願発明の用語を使用して、本願発明と刊行物１に記載された発明とを対比すると、両者は、
　「グリースを封入したファンカップリング用軸受。」で一致しており、下記の点で相違している。
　
　相違点；本願発明では、グリースの基油として０℃における粘度が４５０〜２，０００ｃＳｔであるパーフルオロポリエーテルまたはシリコーン油を使用しているのに対して、刊行物１に記載された発明では、グリースａの基油としてどのような油を使用したのか不明である点。
　
　上記相違点について検討するに、軸受に使用するグリースの基油を選定するに当たり、当業者に周知のグリースの基油の中から適宜実験等を行うことにより、軸受の使用される温度環境に適合する性能を備えた基油を選定することは、普通に採用されている技術事項にすぎないものである。（例えば、原審の拒絶の理由に引用された特開平３−１７９０９４号公報の第１表には、減速機が低温域でも使用されることを考慮して基油粘度について−１０℃でも計測している点を参照すること。）
　そして、各種の軸受に使用するグリースの基油としてパーフルオロポリエーテル又はシリコーン油を採用することは、本願出願前当業者に周知の事項（もし必要であれば、原査定の備考欄で例示された特開平６−１７０７９号公報、特開平８−２４０２２０号公報、特開平９−５９６６４号公報参照）にすぎないものである。
　ところで、本願発明においてグリースの基油として０℃における粘度が４５０〜２，０００ｃＳｔであるパーフルオロポリエーテル又はシリコーン油を使用したことの技術的意義について検討しても、ファンカップリング用軸受が低温域でも使用されることを考慮して、従来周知のグリースの基油であるパーフルオロポリエーテル又はシリコーン油について、０℃における粘度についても実験を行うことにより、０℃における所望の粘度として４５０〜２，０００ｃＳｔのものを採用したにすぎないものであって、０℃における粘度を４５０〜２，０００ｃＳｔの範囲としたことには格別な臨界的意義を認めることができないものである。
　してみると、上記刊行物１に記載された発明及び本願出願前周知の事項を知り得た当業者であれば、従来周知の各種の軸受装置に使用するグリースの基油の中からパーフルオロポリエーテル又はシリコーン油についてファンカップリング用軸受の使用環境に対応した温度範囲において適宜実験を行うことにより、０℃における粘度が所望の範囲にあるもの（例えば、４５０〜２，０００ｃＳｔ）を選択することにより、上記相違点に係る本願発明の構成とすることは、必要に応じて容易に想到することができる程度の事項であって、格別創意を要することではない。
　
　また、本願発明の効果について検討しても、刊行物１に記載された発明及び本願出願前周知の事項から予測することができる程度のものであって、格別のものとはいえない。
　
　ところで、請求人は、審判請求書中において、
　「即ち、本願発明において基油の粘度及び種類の規定は、ファンカップリング用であることが前提となります。これに対し、引用文献２（特開平３−１７９０９４号公報）のグリースは減速機用であり、引用文献３（特開平９−７２４０３号公報）のグリースはプーリ用であり、何れも本願発明とは用途が異なっており、それぞれのグリースがファンカップリング用軸受に適応でき、しかも満足すべき低温特性及び高温特性とが同時に得られるか全く不明であります。
　このように、引用文献２及び引用文献３から本願発明で用いる基油に想到するのは極めて困難であります。
　また、本願発明における基油粘度の限定は、ファンカップリング用軸受において十分に有意であり、単なる設計事項ではありません。
　更には、引用文献１（上記刊行物１）には低温特性、更には高温特性の改善についての記載がなく、引用文献２または引用文献３と組み合わせる合理性も無いと思料致しますが、引用文献１のファンカップリング用軸受に、引用文献２または引用文献３に記載の各グリースを封入することに想到し得たとしても、本願発明の構成にはなりません。
　また、新たに引用された特開平６−１７０７９号公報に記載のグリースは、高速ころ軸受用であり、剥離寿命の改善効果を奏するものと思料されますが、本願発明とは軸受の種類及び作用効果が異なります。しかも、基油粘度を２０〜３０ｃＳｔ（４０℃）とすることの記載がありますが、本願発明で規定する基油粘度とは異なります。
　特開平８−２４０２２０号公報には加熱定着装置用軸受が記載されており、温度変動によるストレスや摩耗を抑制して耐久性を向上させることを目的としており、本願発明とは軸受の種類及び目的が異なります。封入グリースについても、基油粘度の開示はありません。
　特開平９−５９６６４号公報に記載のグリースは、自動車電装備品やＯＡ機器等の高温で使用される軸受用であり、基油粘度については、実施例を参酌しても２７０〜４５０ｃＳｔ（４０℃）であり、本願発明で規定する基油粘度とは異なります。
　このように、新たなに引用された引用文献を参酌しても、本願発明に想到し得るものではありません。」（【請求の理由】の「３．本願発明が特許されるべき理由」の「（３）引用文献との対比」の項参照）旨主張している。
　
　しかしながら、軸受に用いるグリースの基油としてどのような粘度の基油を採用するかは、軸受の用いられる環境（用途や使用温度条件）に応じて従来周知の軸受用の各種の基油（例えば、パーフルオロポリエーテル又はシリコーン油）の中から所望の基油について適宜実験等を行うことによりその使用温度条件に応じた所望の粘度を有する基油を選択できることは当業者であれば普通に理解できる技術事項にすぎないものである。
　そして、刊行物１にはファンカップリング用軸受のグリースの基油について具体的には記載されていないものであるが、ファンカップリング用軸受の使用環境（用途や使用温度条件）を考慮して従来周知の軸受用のグリースの基油（例えば、パーフルオロポリエーテル、シリコーン油）の中から実験等によりファンカップリング用軸受の使用環境に適した所望の温度における所望の粘度を有する基油を使用していることは当業者であれば自明の事項といいうるものである。
　してみると、当業者であれば、ファンカップリング用軸受のグリースの基油として従来周知の軸受用のグリースの基油（例えば、パーフルオロポリエーテル又はシリコーン油）の中からパーフルオロポリエーテル又はシリコーン油を選択し、適宜実験等を行うことにより、その使用温度条件（例えば、０℃）で所望の粘度（例えば、４５０〜２，０００ｃＳｔ）のものを採用することは、必要に応じて容易に想到することができる程度の事項であって格別創意を要することではないことは、上記のとおりである。
　また、本願発明の作用効果についても、刊行物１に記載された発明及び本願出願前周知の軸受用グリースに用いられる基油の性質（パーフルオロポリエーテル又はシリコーン油の所望の温度における粘度の範囲）から予測することができる程度の事項であって、格別のものとはいえないことも上記のとおりである。
　よって、請求人の上記審判請求書中での主張は採用することができない。
　
４．むすび
　以上のとおり、本願の請求項１に係る発明（本願発明）は、刊行物１に記載された発明及び本願出願前周知の事項に基づいて当業者が容易に発明をすることができたものであるから、特許法第２９条第２項の規定により特許を受けることができないものである。
　よって、結論のとおり審決する。